(57)【要約】【課題】脚の動きに応じた吸収コアの変形をコントロールし、吸収コアによって身体を覆い続けることができる使い捨ておむつを提供する。【解決手段】使い捨ておむつ(10)は、吸収コア(31)と、後胴回り域に配置されたファスニングテープ(91)と、前胴回り域及び後胴回り域において幅方向に沿って延びる胴回り保持領域(60)と、を有する。吸収コアには、前側に向かって前記幅方向の外側に延び、かつ幅方向に間隔を空けて配置された一対の変形基点部(80)が設けられている。前胴回り域における胴回り保持領域の後端縁を通り、かつ幅方向に延びる第１仮想線(VL1)と、使い捨ておむつの前後方向の中心を通り、幅方向に延びる第２仮想線(VL3)と、第１仮想線と第２仮想線の前後方向の中心を通り、かつ幅方向に延びる第３仮想線(VL3)と、を設定すると、変形基点部の少なくとも一部は、第１仮想線と第３仮想線との間の腹部領域(R20)に設けられている。【選択図】図１
2020065817.tif 000002
【特許請求の範囲】
【請求項１】
互いに直交する前後方向及び幅方向と、
前胴回り域、後胴回り域、及び前記前胴回り域及び前記後胴回り域との間に配置された股下域と、
少なくとも前記股下域に配置された吸収コアと、
前記後胴回り域に配置され、かつ前記前胴回り域に止着可能なファスニングテープと、
前記前胴回り域及び前記後胴回り域において、前記幅方向に沿って延びる胴回り保持領域と、を有する使い捨ておむつであって、
前記吸収コアには、前側に向かって前記幅方向の外側に延び、かつ前記幅方向に間隔を空けて配置された一対の変形基点部が設けられており、
前記前胴回り域における前記胴回り保持領域の後端縁を通り、かつ前記幅方向に延びる第１仮想線と、前記使い捨ておむつの前記前後方向の中心を通り、前記幅方向に延びる第２仮想線と、前記第１仮想線と前記第２仮想線の前記前後方向の中心を通り、かつ前記幅方向に延びる第３仮想線と、を設定すると、
前記変形基点部の少なくとも一部は、前記第１仮想線と前記第３仮想線との間の腹部領域に設けられている、使い捨ておむつ。
【請求項２】
前記変形基点部の前端縁は、前記第１仮想線と前記前後方向において離間している、請求項１に記載の使い捨ておむつ。
【請求項３】
前記第１仮想線と前記第３仮想線の前記前後方向の中心を通り、かつ前記幅方向に延びる第４仮想線を設定すると、
前記変形基点部の前端縁は、前記第４仮想線よりも前側に位置している、請求項２に記載の使い捨ておむつ。
【請求項４】
前記第１仮想線と前記第３仮想線の前記前後方向の中心を通り、かつ前記幅方向に延びる第４仮想線を設定すると、
前記変形基点部の前端縁は、前記第４仮想線よりも後側に位置している、請求項２に記載の使い捨ておむつ。
【請求項５】
前記吸収コアは、前記吸収コアの前記幅方向の全域を４等分した領域のうち、前記幅方向の両側部に位置する一対の側部領域を有し、
前記変形基点部の外側縁は、前記側部領域に位置する、請求項１から請求項４のいずれか１項に記載の使い捨ておむつ。
【請求項６】
前記吸収コアは、前記吸収コアの前記幅方向の全域を４等分した領域のうち、前記幅方向の中央側に位置する一対の中央領域を有し、
前記変形基点部の内側縁は、前記中央領域に位置する、請求項１から請求項５のいずれか１項に記載の使い捨ておむつ。
【請求項７】
各変形基点部の前記幅方向の長さは、前記吸収コアの前記幅方向の全域に対する１／４以上である、請求項１から請求項６のいずれか１項に記載の使い捨ておむつ。
【請求項８】
前記第２仮想線を跨いで前記前後方向に延び、かつ前記吸収コアの厚さ方向の変形を誘導する股下変形誘導部を有し、
前記変形基点部は、前記股下変形誘導部の前端縁から前側に延びる誘導延長線上に配置されている、請求項１から請求項７のいずれか１項に記載の使い捨ておむつ。
【請求項９】
一対の変形基点部を構成する各変形基点部から前記変形基点部に沿って延びる変形延長線同士が交わる変形交点は、前記第３仮想線よりも前記前側に位置している、請求項１から請求項８のいずれか１項に記載の使い捨ておむつ。
【請求項１０】
前記変形基点部の前端縁は、前記第１仮想線と前記前後方向において離間しており、
前記第１仮想線と前記第３仮想線の前後方向の中心を通り、かつ前記幅方向に延びる第４仮想線を設定すると、
前記変形交点は、前記第４仮想線よりも前記前側に位置している、請求項９に記載の使い捨ておむつ。
【請求項１１】
前記第１仮想線と前記第３仮想線の前後方向の中心を通り、かつ前記幅方向に延びる第４仮想線を設定すると、
前記変形交点は、前記第４仮想線よりも前記後側に位置している、請求項９に記載の使い捨ておむつ。
【請求項１２】
各変形基点部から前記変形基点部に沿って延びる変形延長線と、前記吸収コアの外側縁と、が交わるコア交点は、前記第１仮想線よりも後側に位置する、請求項１から請求項１１のいずれか１項に記載の使い捨ておむつ。
【請求項１３】
前記変形基点部の最大幅は、前記変形基点部と近接する領域における前記吸収コアの厚みよりも長い、請求項１から請求項１２のいずれか１項に記載の使い捨ておむつ。
【請求項１４】
前記一対の変形基点部の間には、前記変形基点部よりも前記幅方向の外側の領域よりも剛性が高い高剛性部が設けられている、請求項１から請求項１３のいずれか１項に記載の使い捨ておむつ。
【請求項１５】
前記一対の変形基点部は、前記幅方向において連なっている、請求項１から請求項１３のいずれか１項に記載の使い捨ておむつ。
【請求項１６】
前記胴回り保持領域の前記前後方向の内端縁よりも前記前後方向の外側には、前記幅方向に伸縮する伸縮性部材が設けられている、請求項１から請求項１５のいずれか１項に記載の使い捨ておむつ。
【請求項１７】
前記第１仮想線よりも前側には、前記第１仮想線から後側に延びる領域よりも剛性が高いウエスト剛性領域が設けられている、請求項１から請求項１６のいずれか１項に記載の使い捨ておむつ。
【請求項１８】
前記一対の変形基点部は、一対の第１変形基点部と、前記一対の第１変形基点部よりも後側に位置する一対の第２変形基点部と、を有する、請求項１から請求項１７のいずれか１項に記載の使い捨ておむつ。
【請求項１９】
前記第１変形基点部の前記幅方向に対する第１角度は、前記第２変形基点部の前記幅方向に対する第２角度よりも小さい、請求項１８に記載の使い捨ておむつ。
【請求項２０】
前記第１変形基点部の前端縁から前記第１変形基点部に沿って延びる第１変形延長線と、前記第２変形基点部の前端縁から第２変形基点部に沿って延びる第２変形延長線は、前記吸収コアの外側縁よりも前記幅方向の外側において交わる、請求項１８又は請求項１９に記載の使い捨ておむつ。
【請求項２１】
前記第１変形基点部と前記第２変形基点部は、前記前後方向において離間している、請求項１８から請求項２０のいずれか１項に記載の使い捨ておむつ。
【発明の詳細な説明】
【技術分野】
【０００１】
本発明は、吸収コアに変形基点部を設けた使い捨ておむつに関する。
【背景技術】
【０００２】
特許文献１には、吸収コアに変形基点部を設けた使い捨ておむつが提供されている。特許文献１の変形基点部は、前後方向に延びる一対の溝状部によって構成されている。溝状部は、吸収コアの変形基点となる。このように構成された使い捨ておむつは、装着時に、溝状部を基点に吸収コアが変形する。
【先行技術文献】
【特許文献】
【０００３】
【特許文献１】特開２０１８−４７２号公報
【発明の概要】
【発明が解決しようとする課題】
【０００４】
しかし、上述の使い捨ておむつは、以下の問題があった。
使い捨ておむつを着用した着用者が脚を動かすと、使い捨ておむつの前胴回り域が腹側（前側）に引き上げられたり、股下域が幅方向の内側に押圧されたりする。このとき、ファスニングテープの係止部から幅方向に延びる胴回り保持領域が身体に密着しているため、前胴回り域においては、胴回り保持領域の後端縁を基点として、胴回り保持領域の後端縁よりも股下側の領域が変形し易い。
【０００５】
前胴回り域における胴回り保持領域の後端縁と使い捨ておむつの前後方向の中心との間の領域には、脚の動きによって幅方向の内側に向かう力及び前側に向かう力がかかり易い。具体的には、着用者が両脚を上げつつ両脚を閉じると、吸収コアの幅方向の中央が潰れたり、脚回り開口部の近傍が潰れてしまったりして、吸収コアが意図しない変形をすることがある。これにより、吸収コアによって身体を覆うことができず、漏れが発生するおそれがあった。
【０００６】
よって、脚の動きに応じた吸収コアの変形をコントロールし、吸収コアによって身体を覆い続けることができる使い捨ておむつが望まれる。
【課題を解決するための手段】
【０００７】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記後胴回り域に配置され、かつ前記前胴回り域に止着可能なファスニングテープと、前記前胴回り域及び前記後胴回り域において、前記幅方向に沿って延びる胴回り保持領域と、を有する使い捨ておむつであって、前記吸収コアには、前側に向かって前記幅方向の外側に延び、かつ前記幅方向に間隔を空けて配置された一対の変形基点部が設けられており、前記前胴回り域における前記胴回り保持領域の後端縁を通り、かつ前記幅方向に延びる第１仮想線と、前記使い捨ておむつの前記前後方向の中心を通り、前記幅方向に延びる第２仮想線と、前記第１仮想線と前記第２仮想線の前記前後方向の中心を通り、かつ前記幅方向に延びる第３仮想線と、を設定すると、前記変形基点部の少なくとも一部は、前記第１仮想線と前記第３仮想線との間の腹部領域に設けられている。
【図面の簡単な説明】
【０００８】
【図１】図１は、実施形態に係る使い捨ておむつの肌面側から見た平面図である。
【図２】図２は、実施形態に係る吸収コアの平面図である。
【図３】図３は、図１に示す使い捨ておむつのＡ−Ａ断面に沿った模式断面図である。
【図４】図４は、使い捨ておむつを着用した着用者が脚を下げた状態を模式的に示した図である。
【図５】図５は、使い捨ておむつを着用した着用者が脚を上げた状態を着用者が脚を上げた状態の使い捨ておむつを模式的に示した図である。
【図６】図６は、着用者が脚を上げ、かつ脚を閉じた状態の使い捨ておむつを模式的に示した図である。
【図７】図７は、着用者が脚を下げた状態における使い捨ておむつの前後方向に沿った模式断面図である。
【図８】図８は、着用者が脚を上げた状態における使い捨ておむつの前後方向に沿った模式断面図である。
【図９】図９は、変形例に係る吸収コアを示す平面図である。
【発明を実施するための形態】
【０００９】
（１）実施形態の概要
本明細書及び添付図面の記載により、少なくとも以下の事項が明らかとなる。
【００１０】
一態様に係る使い捨ておむつは、互いに直交する前後方向及び幅方向と、前胴回り域、後胴回り域、及び前記前胴回り域及び前記後胴回り域との間に配置された股下域と、少なくとも前記股下域に配置された吸収コアと、前記後胴回り域に配置され、かつ前記前胴回り域に止着可能なファスニングテープと、前記前胴回り域及び前記後胴回り域において、前記幅方向に沿って延びる胴回り保持領域と、を有する使い捨ておむつであって、前記吸収コアには、前側に向かって前記幅方向の外側に延び、かつ前記幅方向に間隔を空けて配置された一対の変形基点部が設けられており、前記前胴回り域における前記胴回り保持領域の後端縁を通り、かつ前記幅方向に延びる第１仮想線と、前記使い捨ておむつの前記前後方向の中心を通り、前記幅方向に延びる第２仮想線と、前記第１仮想線と前記第２仮想線の前記前後方向の中心を通り、かつ前記幅方向に延びる第３仮想線と、を設定すると、前記変形基点部の少なくとも一部は、前記第１仮想線と前記第３仮想線との間の腹部領域に設けられている。
【００１１】
本態様によれば、着用者が脚を動かすと、前後方向における第１仮想線と第２仮想線の間の前側領域には、幅方向の内側に向かう力及び前側に向かう力がかかり易い。このとき、前側領域のうち前側半分となる腹部領域は、脚の前側に膨らんだ部分と対向しているため、着用者が脚を上げたり、脚を閉じたりすると、前側に引き上げられる力を受けやすく、着用者が脚を閉じた際は、幅方向の内側に押圧される力も受けやすい。
【００１２】
使い捨ておむつの胴回り保持領域が身体に密着しているため、腹部領域は、胴回り保持領域の後端縁を基点として変形する。このとき、腹部領域の吸収コアは、変形基点部を基点しても変形する。変形基点部は、前側に向かって幅方向の外側に延びており、脚の動きによって作用する力に対向して配置されている。よって、腹部領域の吸収コアは、脚の動きに応じて変形基点部を基点として変形する。脚の動きに応じた吸収コアの変形をコントロールすることにより、吸収コアの意図しない変形を抑制し、吸収コアによって身体を覆い続けることができる。加えて、脚の動きに応じた吸収コアの変形をコントロールすることにより、吸収コアが変形前の状態に戻りやすく、身体を覆い続けることができる。
【００１３】
好ましい一態様によれば、前記変形基点部の前端縁は、前記第１仮想線と前記前後方向において離間してよい。
【００１４】
本態様によれば、胴回り保持領域と前後方向に離れた位置に、吸収コアの変形基点を形成できる。胴回り保持領域における位置ずれを抑制し、使い捨ておむつの全体の位置ずれを抑制できる。また、着用者の脚の力が作用しやすい脚回り開口部の近傍に、変形基点部を設けることができ、脚の動きに応じた変形基点がより形成され易い。
【００１５】
好ましい一態様によれば、前記第１仮想線と前記第３仮想線の前後方向の中心を通り、かつ前記幅方向に延びる第４仮想線を設定すると、前記変形基点部の前端縁は、前記第４仮想線よりも前側に位置してよい。
【００１６】
着用者が脚を上げると、腹部領域のうち前側半分となる前腹部領域（第１仮想線と第４仮想線の間の領域）に対して特に力がかかり易い。前腹部領域に変形基点部の前端縁が位置することため、脚上げの際に吸収コアが変形基点部を基点として変形しやすい。脚上げ時の吸収コアの変形をコントロールすることにより、その後の脚の動きに応じて変形が元に戻りやすく、吸収コアによって体を覆い続け、漏れを抑制しやすい。
【００１７】
好ましい一態様によれば、前記第１仮想線と前記第３仮想線の前後方向の中心を通り、かつ前記幅方向に延びる第４仮想線を設定すると、前記変形基点部の前端縁は、前記第４仮想線よりも後側に位置してよい。
【００１８】
着用者が脚を閉じると、第４仮想線よりも後側の領域に対して特に力がかかり易い。第４仮想線よりも後側に変形基点部の前端縁が位置することにより、脚閉じの際に吸収コアが変形基点部を基点として変形しやすい。脚閉じ時に変形をコントロールすることにより、その後の脚の動きに応じて変形が元に戻りやすく、吸収コアによって体を覆い続け、漏れを抑制しやすい。
【００１９】
好ましい一態様によれば、前記吸収コアは、前記吸収コアの前記幅方向の全域を４等分した領域のうち、前記幅方向の両側部に位置する一対の側部領域を有し、前記変形基点部の外側縁は、前記側部領域に位置してよい。
【００２０】
本態様によれば、吸収コアの側部領域は、脚の近くに位置しており、脚の力を受けやすい。吸収コアの側部領域に変形基点部が位置するため、脚の動きに応じて吸収コアが変形基点部を基点に変形しやすい。また、変形基点部にかかった力は、変形基点部に沿って変形基点部の延長線上に伝達される。吸収コアの側部領域に変形基点部が位置するため、変形基点部による変形基点が吸収コアの外側縁に到達し易い。吸収コアの外側縁まで変形基点が到達することにより、変形基点による折り目が安定して形成され、吸収コアの意図した変形状態を維持し易い。
【００２１】
好ましい一態様によれば、前記吸収コアは、前記吸収コアの前記幅方向の全域を４等分した領域のうち、前記幅方向の中央側に位置する一対の中央領域を有し、前記変形基点部の内側縁は、前記中央領域に位置してよい。
【００２２】
本態様によれば、脚の動きによって吸収コアの外側縁にかかった力を吸収コアの幅方向の中央側まで導くことができる。吸収コアの幅方向の全体に亘って変形をコントロールでき、意図しない変形を抑制できる。
【００２３】
好ましい一態様によれば、各変形基点部の前記幅方向の長さは、吸収コアの前記幅方向の全域に対する１／４以上であってよい。
【００２４】
本態様によれば、吸収コアの幅方向の全体に亘って変形をコントロールでき、意図しない変形を抑制できる。
【００２５】
好ましい一態様によれば、前記第２仮想線を跨いで前記前後方向に延び、かつ前記吸収コアの厚さ方向の変形を誘導する股下変形誘導部を有し、前記変形基点部は、前記股下変形誘導部の前端縁から前側に延びる誘導延長線上に配置されてよい。
【００２６】
本態様によれば、変形基点部は、幅方向に延びており、股下変形誘導部から前後方向に延びる変形を分断できる。股間と対向する領域の吸収コアは、股下変形誘導部に基づいて変形し、股間から離れた腹部と対向する領域の吸収コアは、変形基点部に基づいて変形する。股間と腹部のそれぞれに応じた吸収コアの変形を実現できる。
【００２７】
好ましい一態様によれば、一対の変形基点部を構成する各変形基点部から前記変形基点部に沿って延びる変形延長線同士が交わる変形交点は、前記第３仮想線よりも前記前側に位置してよい。
【００２８】
本態様によれば、各変形基点部を基点とした変形は、変形延長線に沿って股下側に延び、一対の変形延長線同士の変形交点で交わる。変形延長線によって挟まれた領域は、両脚によって挟まれることにより、身体に対して膨らむように変形する。変形基点部が下腹部の凹み近傍に位置する場合、変形延長線によって挟まれた領域によって下腹部の凹みよりも下側（股間側）の膨らみを覆うことができる。変形交点が第３仮想線よりも後側に位置しないため、変形基点部を介した身体に対して膨らむ変形が股間まで到達し難く、股間に対する吸収性を確保しやすい。
【００２９】
好ましい一態様によれば、前記変形基点部の前端縁は、前記第１仮想線と前記前後方向において離間しており、前記第１仮想線と前記第３仮想線の前後方向の中心を通り、かつ前記幅方向に延びる第４仮想線を設定すると、前記変形交点は、前記第４仮想線よりも前記前側に位置してよい。
【００３０】
本態様によれば、腹部領域のうち前側半分となる前腹部領域（第１仮想線と第４仮想線の間の領域）には、着用者が脚を上げた際に腹側に引き上げられる力がかかりやすい。前腹部領域において変形基点部の幅方向に対する傾きが緩やかに配置されるため、脚上げの際に変形基点部に力がかかりやすく、当該変形基点部を介してより変形しやすくなる。
【００３１】
好ましい一態様によれば、前記第１仮想線と前記第３仮想線の前後方向の中心を通り、かつ前記幅方向に延びる第４仮想線を設定すると、前記変形交点は、前記第４仮想線よりも前記後側に位置してよい。
【００３２】
本態様によれば、第４仮想線よりも後側の領域には、着用者が脚を閉じた際に幅方向の内側に押圧される力がかかりやすい。この幅方向の内側に向かう力は、後腹部領域のみならず、後腹部領域よりも後側にも作用する。変形延長線によって挟まれた領域が、後腹部領域よりも後側にも設けられ、股間に対向する領域においても吸収コアの変形をコントロールできる。
【００３３】
好ましい一態様によれば、各変形基点部から前記変形基点部に沿って延びる変形延長線と、前記吸収コアの外側縁と、が交わるコア交点は、前記第１仮想線よりも後側に位置してよい。
【００３４】
本態様によれば、変形基点部を基点とした変形は、変形延長線に沿って延び、吸収コアの外側縁まで伝達しやすい。記第１仮想線よりも後側にコア交点が位置するため、変形基点部による吸収コアの変形が胴回り保持領域まで伝わり難く、胴回りを保持した状態を維持できる。
【００３５】
好ましい一態様によれば、前記変形基点部の最大幅は、前記変形基点部と近接する領域における前記吸収コアの厚みよりも長くてよい。
【００３６】
本態様によれば、吸収コアの厚さ方向の全域にわたって変形基点部を基点に変形しやすくなり、意図した変形をより実現しやすい。
【００３７】
好ましい一態様によれば、前記一対の変形基点部の間には、前記変形基点部よりも前記幅方向の外側の領域よりも剛性が高い高剛性部が設けられてよい。
【００３８】
本態様によれば、変形基点部間に高剛性部が設けられていることにより、変形基点部よりも幅方向の外側の領域と変形基点部よりも内側の領域との剛性差が生じ、変形基点部を基点として吸収コアがより変形し易くなる。また、高剛性部によって変形基点部が変形しにくく、変形基点部を基点とした変形を維持しやすい。加えて、変形基点部間の領域が幅入りし難くなり、一対の変形基点部間の領域の幅方向の長さを確保し、漏れを抑制できる。
【００３９】
好ましい一態様によれば、前記一対の変形基点部は、前記幅方向において連なってよい。
【００４０】
本態様によれば、両脚によって幅方向の両側から押圧された際に、一対の変形基点部同士が干渉し、変形基点部を基点とした変形を維持しやすい。また、変形基点部間の領域が幅入りし難くなり、一対の変形基点部間の領域の幅方向の長さを確保し、漏れを抑制できる。
【００４１】
好ましい一態様によれば、前記胴回り保持領域の前記前後方向の内端縁よりも前記前後方向の外側には、前記幅方向に伸縮する伸縮性部材が設けられてよい。
【００４２】
本態様によれば、胴回り保持領域の身体に対する密着性を高め、脚の動きによって股下域が前後方向に移動しても、胴回り保持領域の前後方向の位置ずれを抑制できる。よって、繰り返しの脚の上げ下げ動作が行われた場合であっても、吸収コア全体の位置ずれを抑制し、脚の動きに応じて変形基点部を基点に吸収コアを変形させて、身体を覆い続け易い。
【００４３】
好ましい一態様によれば、前記第１仮想線よりも前側には、前記第１仮想線から後側に延びる領域よりも剛性が高いウエスト剛性領域が設けられてよい。
【００４４】
本態様によれば、ウエスト剛性領域によって胴回り保持領域の変形を抑制し、胴回り保持領域によって着用者の腰回りを覆い続けることができ、腹部の膨らみを覆い続けることができる。
【００４５】
好ましい一態様によれば、前記一対の変形基点部は、一対の第１変形基点部と、前記一対の第１変形基点部よりも後側に位置する一対の第２変形基点部と、を有してよい。
【００４６】
本態様によれば、着用者が脚を上げたりして引き上げる力がかかると、前側に位置する第１変形基点部を基点に吸収コアが変形する。次いで、着用者が脚を閉じたりして、幅方向の内側に向かう力がかかると、第１変形基点部を基点に変形した領域が、第２変形基点部を基点に変形する。第２変形基点部によって、第１変形基点部を基点に変形した領域の変形もコントロールすることができる。
【００４７】
好ましい一態様によれば、前記第１変形基点部の前記幅方向に対する第１角度は、前記第２変形基点部の前記幅方向に対する第２角度よりも小さくてよい。
【００４８】
本態様によれば、前側に位置する第１変形基点部は、幅方向の内側に押圧される力よりも腹側に引き上げられる力が作用しやすい。後側に位置する第２変形基点部は、第１変形基点部よりも幅方向の内側に押圧される力が作用しやすい。作用する力に対向する角度で第１変形基点部及び第２変形基点部を配置することにより、変形基点部を基点として吸収コアがより変形し易く、吸収コアの変形をよりコントロールできる。
【００４９】
好ましい一態様によれば、前記第１変形基点部から前記第１変形基点部に沿って延びる第１変形延長線と、前記第２変形基点部から第２変形基点部に沿って延びる第２変形延長線は、前記吸収コアの外側縁よりも前記幅方向の外側において交わってよい。
【００５０】
本態様によれば、第１変形基点部による変形と第２変形基点部による変形とをそれぞれ吸収コアの外側縁に逃がすことができる。その結果、第１変形基点部による変形と第２変形基点部による変形とが干渉し難くなり、それぞれを基点とした変形状態を実現しやすい。
【００５１】
好ましい一態様によれば、前記第１変形基点部と前記第２変形基点部は、前記前後方向において離間してよい。
【００５２】
本態様によれば、第１変形基点部による変形と第２変形基点部による変形とが干渉し難くなり、それぞれが独立した基点を構成できる。
【００５３】
（２）使い捨ておむつの全体概略構成
以下、図面を参照して、実施形態に係る使い捨ておむつについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００５４】
使い捨ておむつは、テープ型の使い捨ておむつである。図１は、本実施形態に係る使い捨ておむつ１０の肌面側から見た平面図であり、図２は、実施形態に係る吸収コアを肌面側から見た平面図である。図１及び図２に示す平面図は、伸長状態の使い捨ておむつを示している。図３は、図１に示す使い捨ておむつのＡ−Ａ断面に沿った模式断面図である。なお、本発明における伸長状態とは、使い捨ておむつ１０を皺が形成されない状態まで伸長させた状態である。また、本発明における自然状態とは、パッケージに収容されている使い捨ておむつ１０にあっては、パッケージから使い捨ておむつ１０を取り出し、２０℃±２℃、相対湿度６０％±５％ＲＨの雰囲気下において２４時間放置した状態である。
【００５５】
使い捨ておむつ１０は、互いに直交する前後方向Ｌ及び幅方向Ｗを有する。前後方向Ｌは、身体前側と身体後側とに延びる方向によって規定される。言い換えると、前後方向Ｌは、展開された使い捨ておむつ１０において前後に延びる方向である。また、使い捨ておむつ１０は、前後方向Ｌと幅方向Ｗの両方の直交する厚さ方向Ｔを有する。厚さ方向Ｔは、着用者側に向かう肌面側Ｔ１と、肌面側と反対側の非肌面側Ｔ２と、に延びる。
【００５６】
使い捨ておむつ１０は、前胴回り域Ｓ１と、後胴回り域Ｓ２と、股下域Ｓ３と、を有する。前胴回り域Ｓ１は、着用者の前胴回り（腹部）に対向する領域である。後胴回り域Ｓ２は、着用者の後胴回り（背部）に対向する領域であり、装着時に身体（臀部）が載せられる領域を含む。股下域Ｓ３は、着用者の股下に位置し、前胴回り域Ｓ１と後胴回り域Ｓ２との間に配置された領域である。股下域Ｓ３は、着用者の脚回りに配置される脚回り開口部６５が設けられた領域である。脚回り開口部６５は、使い捨ておむつの外側縁から幅方向の内側に凹む部分である。
【００５７】
使い捨ておむつ１０は、吸収材料を含む吸収コア３１を含む。吸収コア３１は、少なくとも股下域Ｓ３に配置されてよく、前胴回り域Ｓ１にも配置されていてよいし、後胴回り域Ｓ２にも配置されていてよい。吸収コア３１は、粉砕パルプもしくは高吸収性ポリマー（ＳＡＰ）、又はこれらの混合物等の吸収材料を含む。吸収コア３１は、コアラップ３２によって覆われてよい。吸収コア３１とコアラップ３２によって吸収体３０が構成されてよい。コアラップ３２は、テッシュによって構成され、吸収コア３１の肌面側Ｔ１と吸収コアの非肌面側Ｔ２に配置されてよい。
【００５８】
図１及び図３に示すように、吸収コア３１を含む吸収体３０の肌面側Ｔ１には、表面シート２１及びサイドシート２２が設けられてよい。表面シート２１は、吸収体３０の幅方向Ｗの中心を跨いで配置されてよい。サイドシート２２は、表面シート２１の外側部を覆うように配置されてよい。表面シート２１及びサイドシート２２は、例えば不織布や開孔プラスチックフィルムのような透液性シートによって構成されていてよい。サイドシート２２の内側部は、折り返されて重なってよい。重なったサイドシート２２間には、前後方向Ｌに伸縮する防漏伸縮部４３が設けられてよい。防漏伸縮部４３は、前後方向Ｌに伸縮する糸ゴムによって構成されてよい。サイドシート２２と防漏伸縮部４３は、着用時に肌面側Ｔ１に起立する防漏ギャザーを構成する。
【００５９】
吸収体３０の非肌面側Ｔ２には、裏面シート２３及び外装シート２４が設けられてよい。外装シート２４は、裏面シート２３の非肌面側Ｔ２に設けられてよい。裏面シート２３の幅方向Ｗの長さは、外装シート２４の幅方向Ｗの長さよりも短く、裏面シート２３の前後方向Ｌの長さは、外装シート２４の前後方向Ｌの長さよりも短い。裏面シート２３は、液不透過性のフィルムによって構成されてよい。外装シート２４は、液透過性の不織布によって構成されてよい。
【００６０】
後胴回り域Ｓ２には、ファスニングテープ９１が設けられている。ファスニングテープ９１は、後胴回り域Ｓ２に配置され、かつ前胴回り域Ｓ１に止着可能に構成されている。ファスニングテープ９１は、ベース部９２と係止部９３を有する。ベース部９２は、厚さ方向Ｔにおいて外装シート２４及びサイドシート２２の間に配置され、幅方向Ｗにおいて外装シート２４及びサイドシート２２から外側に延出している。係止部９３は、ベース部９２上に配置されており、ターゲット部９５に係合してよい。ターゲット部９５は、前胴回り域Ｓ１において幅方向Ｗに間隔を空けて配置されており、ファスニングテープ９１がそれぞれ止着するように構成されている。また、変形例において、使い捨ておむつがターゲット部を備えてなく、前胴回り域の外装シートに係止部９３が止着するように構成されていてもよい。
【００６１】
使い捨ておむつは、胴回り保持領域６０を有する。胴回り保持領域６０は、着用された状態で着用者の胴回りに密着する領域であり、ファスニングテープの係止部９３から幅方向Ｗに延びる領域である。後胴回り域Ｓ２における胴回り保持領域６０は、ファスニングテープ９１の係止部９３から幅方向Ｗに延びる領域である。前胴回り域Ｓ１における胴回り保持領域６０と、後胴回り域における胴回り保持領域６０と、は、使い捨ておむつの前後方向の中心を通り、幅方向Ｗに延びる前後中心線（後述する第２仮想線）１０ＬＣに対して線対称となる。すなわち、前胴回り域Ｓ１における胴回り保持領域６０の後端縁と前後中心線１０ＬＣとの距離は、後胴回り域Ｓ２における胴回り保持領域６０の前端縁と前後中心線１０ＬＣとの距離と一致する。図１において、胴回り保持領域に斜線を付して示す。
【００６２】
使い捨ておむつ１０は、吸収コア３１よりも幅方向Ｗの外側において前後方向に伸縮する脚回り伸縮部４２を有してよい。脚回り伸縮部４２は、サイドシート２２と裏面シート２３の間、及びサイドシート２２と外装シート２４の間に設けられてよい。脚回り伸縮部４２は、前後方向Ｌに伸縮する帯状の伸縮シートによって構成されている。脚回り伸縮部４２の収縮によって、着用時に使い捨ておむつ１０の脚回り開口部が脚回りにフィットする。
【００６３】
使い捨ておむつ１０は、使い捨ておむつの後端縁に沿って幅方向Ｗに延びる腰回り伸縮部４５を有してよい。腰回り伸縮部４５は、本発明の伸縮性部材を構成する。腰回り伸縮部４５は、裏面シート２３と外装シート２４の間、表面シート２１と外装シート２４の間、及びサイドシート２２と外装シート２４の間に設けられてよい。腰回り伸縮部４５の後端縁は、使い捨ておむつの後端縁よりも前側に位置し、腰回り伸縮部４５の前端縁は、吸収コア３１の後端縁よりも前側に位置してよい。腰回り伸縮部４５は、吸収コア３１よりも幅方向Ｗの外側に延出してよい。腰回り伸縮部４５は、幅方向Ｗに伸縮する帯状の伸縮シートによって構成されている。
【００６４】
使い捨ておむつ１０は、股下域の吸収コア３１に重なる領域に設けられた一対の股下伸縮部４１を有してよい。股下伸縮部４１は、本発明の股下変形誘導部８５を構成してよい。股下伸縮部４１は、吸収コア３１よりも非肌面側Ｔ２に配置されている。股下伸縮部４１は、裏面シート２３と外装シート２４の間に設けられてよい。股下伸縮部４１は、前後方向Ｌに延び、かつ幅方向Ｗに間隔を空けて配置されている。股下伸縮部４１は、吸収コア３１の幅方向Ｗの中心に配置されてなく、吸収コア３１の幅方向Ｗの中心に対する両側にそれぞれ２本ずつ配置されている。股下伸縮部４１は、前後方向Ｌに沿って配置された糸ゴムによって構成されている。なお、他の形態において、股下伸縮部４１は、前後方向に伸縮する帯状の伸縮シートによって構成されてよいし、１本の糸ゴムによって構成されていてもよいし、３本以上の糸ゴムによって構成されてもよい。
【００６５】
股下伸縮部４１は、前後中心線１０ＬＣを跨がってよい。股下伸縮部４１の収縮によって、前後中心線１０ＬＣを身体側に引き上げることができる。特に、使用前に使い捨ておむつの肌面側どうしが向き合うように二つに折り畳まれた形態にあっては、折り畳みによる折り癖を引き上げることができる。なお、他の形態において、股下伸縮部４１は、前後中心線１０ＬＣを跨がってなく、前後中心線１０ＬＣよりも前側のみに配置されていてもよいし、前後中心線１０ＬＣよりも後側のみに配置されていてもよい。
【００６６】
股下伸縮部４１の少なくとも一部は、後述する幅狭部３５において吸収コア３１の外側縁よりも幅方向Ｗの内側に位置する。股下伸縮部４１の少なくとも一部は、前後方向において幅狭部３５の範囲内に配置されている。股下伸縮部４１の後端縁は、幅狭部３５の後端縁よりも前側に配置されている。また、股下伸縮部４１の前端縁は、幅狭部３５の前端縁よりも後側に配置されてよい。
【００６７】
股下域Ｓ３の吸収コア３１は、股下伸縮部４１の収縮によって身体側に引き上げられる。一対の股下伸縮部４１が幅方向Ｗの中心の両外側に位置しており、股下伸縮部４１の収縮によって股下伸縮部４１と重なる部位が引き上げられ、左右の股下伸縮部４１によって挟まれた領域は、身体に沿うような平坦な形状を維持しつつ引き上げられる。一対の股下伸縮部４１は、吸収コア３１の外側縁３１Ｅよりも幅方向Ｗの内側に位置し、一対の股下伸縮部４１間に位置する領域は、一対の股下伸縮部４１よりも幅方向Ｗの外側の領域に対して身体側に引き上げられる。よって、吸収コアの幅方向Ｗの中心が側部を基点として凸状に変形し、身体の股間に対するフィット性を確保できる。
【００６８】
また、本発明における脚回り伸縮部４２、防漏伸縮部４３、腰回り伸縮部４５及び股下伸縮部４１を含む伸縮部は、糸ゴムや伸縮性シートなどの弾性部材が伸縮可能な状態で配置された部分であり、伸縮しない状態で弾性部材が配置された部分を含まない。すなわち、伸縮部は、伸縮部を構成する弾性部材の有効長部分である。なお、他の形態において、股下伸縮部４１は、前後中心線１０ＬＣを跨がってなく、前後中心線１０ＬＣよりも前側のみに配置されていてもよいし、前後中心線１０ＬＣよりも後側のみに配置されていてもよい。
【００６９】
ここで、本発明における外側部とは、幅方向Ｗにおける外側の縁を含む幅方向Ｗに一定の範囲を占める部分であり、外側縁とは、幅方向Ｗにおける外側の縁である。また、内側部とは、幅方向Ｗにおける内側の縁を含む幅方向Ｗに一定の範囲を占める部分であり、内側縁とは、幅方向Ｗにおける内側の縁である。また、外端縁は、前後方向における外縁であり、内端縁は、前後方向における内縁である。また、本発明において重なっている状態とは、平面視にて一方の部材と他方の部材が重なっている状態であり、一方の部材の肌面側又は非肌面側に他方の部材が配置されている状態である。重なっている状態では、一方の部材と他方の部材が互いに接している状態のみならず、一方の部材と他方の部材の間に他の部材が介在している構成も含む。
【００７０】
使い捨ておむつ１０は、前側領域Ｒ１０及び腹部領域Ｒ２０を有する。前側領域Ｒ１０及び腹部領域Ｒ２０は、胴回り保持領域６０と前後中心線１０ＬＣとの間に設けられている。前胴回り域における胴回り保持領域６０の後端縁を通り、かつ幅方向Ｗに延びる第１仮想線ＶＬ１と、使い捨ておむつの前後方向の中心を通り、幅方向Ｗに延びる第２仮想線ＶＬ２と、第１仮想線ＶＬ１と第２仮想線ＶＬ２の前後方向Ｌの中心を通り、かつ幅方向Ｗに延びる第３仮想線ＶＬ３と、第１仮想線ＶＬ１と第３仮想線ＶＬ３の前後方向Ｌの中心を通り、かつ幅方向Ｗに延びる第４仮想線と、を設定すると、前側領域Ｒ１０は、第１仮想線ＶＬ１と第２仮想線ＶＬ２の間の領域である。なお、第２仮想線ＶＬ２は、前後中心線１０ＬＣと一致する。腹部領域Ｒ２０は、第１仮想線ＶＬ１と第３仮想線ＶＬ３の間の領域である。腹部領域Ｒ２０は、前側領域Ｒ１０のうち前側半分の領域である。腹部領域Ｒ２０は、前腹部領域Ｒ２１と後腹部領域Ｒ２２を有する。前腹部領域Ｒ２１は、腹部領域Ｒ２０のうち前側半分の領域であり、第１仮想線ＶＬ１と第４仮想線ＶＬ４の間の領域である。後腹部領域Ｒ２２は、腹部領域Ｒ２０のうち後側半分の領域であり、第３仮想線ＶＬ３と第４仮想線ＶＬ４の間の領域である。本発明に係る使い捨ておむつは、着用者が脚を動かした際に、前側領域Ｒ１０における吸収コアの変形をコントロールできるように構成されている。着用時の変形態様については、後述にて詳細に説明する。
【００７１】
（３）吸収コアの構成
次いで、吸収コア３１の構成について詳細に説明する。図２に示すように、吸収コア３１は、吸収コアの幅方向Ｗの全域を４等分した領域を有する。４等分した領域は、幅方向Ｗの両側部に位置する一対の側部領域３１Ｓと、一対の中央領域３１Ｃと、を有する。一対の中央領域３１Ｃは、吸収コアの幅方向Ｗの中心を挟んで両側に配置されている。一対の側部領域３１Ｓは、中央領域３１Ｃの幅方向Ｗの両側に配置されている。
【００７２】
吸収コア３１は、吸収コア３１の最大幅３１Ｍよりも幅方向Ｗの長さが短い幅狭部３５と、幅狭部３５の前後方向の外側に配置された幅広部と、を有する。幅狭部３５は、前後に配置された幅広部の間に配置されている。幅狭部３５の幅方向Ｗの長さは、前後方向Ｌの外側に向かって長くなっている。吸収コア３１の平面視の形状は、砂時計形状である。なお、吸収コア３１のみならず、コアラップを含んだ吸収体の形状が、砂時計形状であってもよい。
【００７３】
吸収コア３１は、周囲の領域よりも吸収材料の坪量が低い低坪量部３３を有してよい。低坪量部３３は、本発明の股下変形誘導部８５を構成してよい。低坪量部３３は、前後方向Ｌに沿って設けられている。低坪量部３３は、前後方向Ｌに延びていればよく、前後方向Ｌに対して平行であってもよいし、前後方向Ｌに対して９０度未満の角度で傾斜してもよい。
【００７４】
低坪量部３３は、周囲の吸収コア３１よりも吸収材料の坪量が低い部分であり、周囲の吸収コア３１よりも厚さが薄く、かつ剛性が低い。よって、低坪量部３３は、装着状態で変形基点となり易い。吸収コア３１には、着用状態で前後方向に延びる変形基点が形成され易い。低坪量部３３は、吸収材料の坪量が実質的に零の部分（設計上の坪量が０であるが、周囲の吸収材料が混入した部分を含む）であってもよいし、周囲よりも少ない坪量の吸収材料が配置された部分であってもよい。低坪量部３３は、幅方向Ｗに一定の長さを有するスリットであってもよいし、幅方向Ｗの長さが実施的に零である切り込みであってもよい。各低坪量部３３の幅方向Ｗの長さは、２ｍｍ以上１０ｍｍ以下であってよく、より好適には、吸収コア３１の厚さ以上、８ｍｍ以下でよい。低坪量部３３の幅方向Ｗの長さが吸収コア３１の厚さ以上であることにより、低坪量部３３を基点に吸収コア３１が厚さ方向に変形し易くなる。また、低坪量部３３の幅方向Ｗの長さが８ｍｍ以下であることにより、低坪量部３３の幅方向Ｗの長さが長いことによる吸収性能に対する不安感を抑制できる低坪量部３３の前後方向Ｌの長さは、３０ｍｍ以上１８０ｍｍ以下であってよい。
【００７５】
低坪量部３３は、幅方向Ｗに間隔を空けて一対で配置されている。低坪量部３３は、中央領域３１Ｃに設けられている。低坪量部３３は、使い捨ておむつの幅方向の中心を通り、かつ前後方向に延びる幅中心線１０ＷＣの両側に、幅方向Ｗに間隔を空けて配置されてよい。低坪量部３３の前後方向の中心は、前後中心線１０ＬＣよりも後側に配置されてよい。低坪量部３３の前端縁３３Ｆは、股下伸縮部４１の前端縁よりも前側に位置してよく、低坪量部３３の後端縁３３Ｒは、股下伸縮部４１の後端縁と一致又は後端縁よりも前側に位置してよい。低坪量部３３の外側縁は、股下伸縮部４１を構成する糸ゴムのうち幅方向Ｗの外側に位置する糸ゴムと幅方向Ｗにおいて一致していてよく、低坪量部３３の内側縁は、股下伸縮部４１を構成する糸ゴムのうち幅方向Ｗの内側に位置する糸ゴムと幅方向Ｗにおいて一致していてよい。
【００７６】
股下伸縮部４１と重なる領域に低坪量部３３が配置されていてもよい。吸収コア３１は、着用時に前後方向に延びる低坪量部を基点に変形する。よって、股下伸縮部４１の収縮によって吸収コア３１が身体側に凸状により変形し易くなり、着用者の股間に吸収コア３１を適切に収めることができる。吸収コア３１の変形基点となる低坪量部３３は、周囲の領域よりも坪量が低く、体液を吸収した後も厚さを抑えることができ、変形状態を維持できる。
【００７７】
本明細書における「吸収コアの坪量」の測定は、以下の測定方法によって行われるものとする。使い捨ておむつ１０がパッケージなどに封入されている場合には、パッケージから取り出し、その状態にて２０℃±２℃、相対湿度６０％±５％ＲＨの雰囲気下において１２時間放置したサンプルを用いる。包装シート等によって包装された使い捨ておむつにおいては包装シートを開封し、折り畳まれた使い捨ておむつを展開する。次いで、坪量を測定する部分を使い捨ておむつから切り出し、切り出した部分から表面シート等、吸収コア以外の部分を取り除く。そして、吸収コアの坪量を測定する部分の面積及び重量を測定する。重量と面積とに基づいて坪量を算出する。
【００７８】
吸収コア３１には、一対の変形基点部８０が設けられてよい。変形基点部８０は、前側に向かって幅方向Ｗの外側に延び、かつ幅方向Ｗに間隔を空けて一対で配置されている。一対の変形基点部８０は、幅中心線１０ＷＣに対して線対称であってよい。変形基点部８０は、吸収コア３１の変形基点となればよく、吸収コアを厚さ方向に圧縮したエンボス部、吸収材料の坪量が周囲よりも低い低坪量部、吸収材料が配置されていないスリット、及び吸収コアを厚さ方向に切断した切断部の少なくともいずれかによって構成されてよい。変形基点部８０は、変形基点の縁となる基点縁８０Ｇを有する。基点縁は、吸収コア３１の厚さの折れ線が形成される縁である。本実施の形態の基点縁８０Ｇは、変形基点部８０において幅方向Ｗに延びる縁である。
【００７９】
（４）使い捨ておむつの着用時の変形態様
次いで、図４から図８に基づいて、使い捨ておむつ１０の着用時の変形態様について説明する。図４は、使い捨ておむつを着用した着用者が脚を下げた状態を模式的に示した図である。図５は、使い捨ておむつを着用した着用者が脚を上げた状態を模式的に示した図である。図６は、使い捨ておむつを着用した着用者が脚を上げ、かつ脚を閉じた状態を模式的に示した図である。図７は、着用者が脚を下げた状態における使い捨ておむつの前後方向に沿った模式断面図である。図８は、着用者が脚を上げた状態における使い捨ておむつの前後方向に沿った模式断面図である。図７及び図８は、説明の便宜上、使い捨ておむつ全体のライン、変形基点部８０及びファスニングテープのみを示しており、その他の部材については省略している。また、図７及び図８に示すＢＬは、着用者の身体のラインを示している。
【００８０】
本発明の使い捨ておむつは、前側領域Ｒ１０における吸収コア３１の変形を、変形基点部８０によってコントロールするように構成されている。図７及び図８に示すように、着用者の腹側には、一般的に、腹部の下端に幅方向Ｗに延びる凹みが形成される。この腹部の下端の凹みは、幅方向Ｗの中央から幅方向Ｗの外側に向かって上方に湾曲しており、特に乳幼児においてはっきりと形成され易い。使い捨ておむつによって着用者の腹部の膨らみを覆うことができるように、ファスニングテープは、一般的に、着用者の膨らみと対向する位置に止着される。
【００８１】
着用状態では、前胴回り域Ｓ１と後胴回り域Ｓ２の脚回り開口部６５が着用者の脚を囲むように配置されている。図４に示すように、着用者が脚を下げた状態では、一般的に、着用者の脚は、吸収コア３１の外側縁と離間しており、吸収コア３１には、幅方向Ｗの内側に向かう力がかかっていないか、幅方向Ｗの内側に向かう力が僅かにかかった状態である。また、図７に示すように、着用者が脚を下げた状態では、腹部の膨らみ及び腹部の下端の凹みに沿って使い捨ておむつが配置されている。図７に示す状態では、前側領域Ｒ１０には、脚によって腹側に引き上げる力がかかっていないか、腹側に引き上げる力が僅かにかかった状態である。
【００８２】
次いで、着用者が脚を動かすと、前側領域Ｒ１０には、幅方向Ｗの内側に向かう力及び前側に向かう力がかかり易い。このとき、前側領域Ｒ１０のうち前側半分となる腹部領域Ｒ２０は、脚の前側に膨らんだ部分と対向しているため、着用者が脚を上げたり、脚を閉じたりすると、前側に引き上げられる力を受けやすく、着用者が脚を閉じた際は、幅方向Ｗの内側に押圧される力も受けやすい。
【００８３】
このとき、使い捨ておむつの胴回り保持領域６０は、身体に密着しているため、前側領域Ｒ１０は、胴回り保持領域６０の後端縁を基点として変形する。このとき、前側領域Ｒ１０内の腹部領域Ｒ２０の少なくとも一部に変形基点部８０が設けられており、腹部領域Ｒ２０の吸収コアは、変形基点部８０を基点に変形する。変形基点部８０は、前側に向かって幅方向Ｗの外側に延びており、脚の動きによって作用する力に対向して配置されている。よって、腹部領域Ｒ２０の吸収コア３１は、変形基点部８０を基点として変形する。脚の動きに応じた吸収コアの変形をコントロールすることにより、吸収コアの意図しない変形を抑制し、吸収コアによって覆うことができるとともに、元の状態に吸収コアが戻りやすく、身体を覆い続けることができる。
【００８４】
変形基点部８０は、基点縁８０Ｇが前側に向かって幅方向Ｗの外側に延びていればよい。本実施の形態のように、２以上の変形基点部８０を有する形態にあっては、それぞれの変形基点部８０の基点縁８０Ｇが、前側に向かって幅方向Ｗの外側に延びていればよい。また、変形基点部が幅方向に連続しない形態にあっては、基点部を繋いだ延長線が基点縁を構成する。また、基点縁８０Ｇは、本実施の形態のように直線状であってもよいし、曲線状であってもよい。
【００８５】
変形基点部８０は、少なくとも一部が腹部領域Ｒ２０に設けられていればよく、腹部領域Ｒ２０内のみに設けられていてもよいし、腹部領域Ｒ２０から前側に延出していてもよいし、腹部領域Ｒ２０から後側に延出していてもよい。
【００８６】
変形基点部８０の前端縁８０Ｆは、第１仮想線ＶＬ１と前後方向Ｌにおいて離間してよい。すなわち、変形基点部８０は、第１仮想線ＶＬ１よりも後側のみに設けられ、胴回り保持領域６０に重ならないように設けられてよい。この構成によれば、胴回り保持領域６０と前後方向Ｌに離れた位置に、吸収コア３１の変形基点を形成できる。胴回り保持領域６０の位置ずれを抑制し、使い捨ておむつの全体の位置ずれを抑制できる。また、着用者の股間の近傍に変形基点部８０を設けることができ、脚の動きに応じた変形基点がより形成され易い。
【００８７】
変形基点部８０の前端縁８０Ｆは、第４仮想線ＶＬ４よりも前側に位置してよい。本実施の形態の前腹部領域Ｒ２１には、変形基点部８０としての第１変形基点部８１が配置されており、第１変形基点部８１の前端縁８１Ｆが配置されている。図４及び図７に示す脚を下げた状態から、着用者が脚を上げると、図５及び図８に示すように、脚によって前側領域Ｒ１０が引き上げられ、特に、腹部領域Ｒ２０のうち前側半分となる前腹部領域Ｒ２１に対して特に力がかかり易い。前腹部領域Ｒ２１に変形基点部８０の前端縁８０Ｆが位置することにより、脚上げの際に吸収コアが変形基点部８０を基点として変形しやすい。脚上げ時の吸収コアの変形をコントロールすることにより、その後の脚の動きに応じて変形が元に戻りやすく、吸収コア３１によって体を覆い続け、漏れを抑制しやすい。
【００８８】
変形基点部８０の前端縁８０Ｆは、第４仮想線ＶＬ４よりも後側に位置してよい。本実施の形態の後腹部領域Ｒ２２には、変形基点部８０としての第２変形基点部８２が配置されており、第２変形基点部８２の前端縁８２Ｆが配置されている。着用者が脚を閉じると、腹部領域Ｒ２０のうち後側半分となる後腹部領域Ｒ２２に対して特に力がかかり易い。後腹部領域に変形基点部の前端縁が位置することにより、脚閉じの際に吸収コアが変形基点部８０を基点として変形しやすい。脚閉じ時に変形をコントロールすることにより、その後の脚の動きに応じて変形が元に戻りやすく、吸収コアによって体を覆い続け、漏れを抑制しやすい。
【００８９】
変形基点部８０の後端縁８０Ｒが、第２仮想線ＶＬ２よりも前側であってよく、より好適には、第３仮想線ＶＬ３よりも前側であってよい。第２仮想線ＶＬ２及びその前後方向Ｌにおける近傍の領域は、排泄口からの排泄物が導かれ易く、排泄口に対向して配置することが好ましい。変形基点部８０の後端縁８０Ｒが第３仮想線ＶＬ３よりも前側に位置することにより、排泄口に対向して吸収コアを対向して配置し、吸収性能を確保できる。
【００９０】
変形基点部８０は、第１変形基点部８１と第２変形基点部８２を有してよい。図５及び図７に示すように、着用者が脚を上げたりして引き上げる力がかかると、前側に位置する第１変形基点部８１を基点に吸収コア３１が変形する。図６に示すように、着用者が脚を閉じる等して幅方向Ｗの内側に向かう力がかかると、第１変形基点部８１を基点に変形した領域が、第２変形基点部８２を基点に変形する。具体的には、第１変形基点部８１を基点に変形した状態で股下域側から更に前側に押圧されると、第１変形基点部８１は、既に変形基点となっているため、前側に移動せず、第１変形基点部８１よりも後側の領域が、着用者から離れる方向に膨らむ（図８参照）。このとき、第１変形基点部８１よりも後側に第２変形基点部８２があるため、着用者から離れる方向に膨らんだ領域内に更に第２変形基点部８２による変形基点が形成される。着用者から離れる方向に膨らんだ領域の変形もコントロールできる。図８に示すように、第２変形基点部８２を基点として変形することにより、第２変形基点部８２は、第１変形基点部８１側から第２変形基点部８２側に向かって着用者側に膨らむ変形と、第２仮想線側から第２変形基点部８２側に向かって着用者側に膨らむ変形と、の頂点となる。第２変形基点部８２を前後方向Ｌに挟んだ両側の領域で、第２変形基点部８２を頂点とした変形を支えることができ、その変形状態を維持し易くなる。その結果、第２変形基点部８２によって、第１変形基点部８１を基点に変形した領域の変形もコントロールすることができる。
【００９１】
図２に示すように、第１変形基点部８１の幅方向Ｗに対する第１角度αは、第２変形基点部８２の幅方向Ｗに対する第２角度βよりも小さくてよい。第１変形基点部８１は、幅方向Ｗの内側に押圧される力よりも腹側に引き上げられる力が作用しやすく、第２変形基点部８２は、第１変形基点部８１よりも幅方向Ｗの内側に押圧される力が作用しやすい。作用する力に対向する角度で第１変形基点部８１及び第２変形基点部８２を配置することにより、変形基点部を基点として吸収コアがより変形し易く、吸収コアの変形をよりコントロールできる。
【００９２】
第１変形基点部８１と第２変形基点部８２は、前後方向Ｌにおいて離間してよい。この構成によれば、第１変形基点部８１による変形と第２変形基点部８２による変形とが干渉し難くなり、それぞれが独立した基点を構成できる。
【００９３】
平面視にて、第１変形基点部８１から第１変形基点部８１に沿って延びる第１変形延長線ＥＬ１と、第２変形基点部８２から第２変形基点部８２に沿って延びる第２変形延長線ＥＬ２は、吸収コアの外側縁３１Ｅよりも幅方向Ｗの外側において交わってよい。すなわち、第１変形延長線ＥＬ１と第２変形延長線ＥＬ２とは、吸収コア３１の外側縁３１Ｅよりも幅方向Ｗの内側で交わらない。図２に示すように、第１変形延長線ＥＬ１及び第２変形延長線ＥＬ２は、基点縁８０Ｇに沿って延びる線である。第１変形基点部８１による変形と第２変形基点部８２による変形とをそれぞれ吸収コアの外側縁３１Ｅに逃がすことができる。第１変形基点部８１による変形と第２変形基点部８２による変形とが干渉し難くなり、それぞれを基点とした変形状態を実現しやすくなる。
【００９４】
変形基点部８０の外側縁８０Ｅは、側部領域に位置してよい。本実施の形態の第１変形基点部８１の外側縁８１Ｅは、側部領域３１Ｓに位置しており、第２変形基点部８２の外側縁８２Ｅは、中央領域３１Ｃに位置している。側部領域３１Ｓは、脚の近くに位置しており、脚の力を受けやすい。吸収コアの側部領域に変形基点部が位置するため、脚の動きに応じて吸収コアが変形基点部を基点に変形しやすい。また、変形基点部にかかった力は、変形基点部に沿って変形基点部の延長線上に伝達される。変形基点部による変形基点が吸収コアの外側縁に到達し易い。吸収コアの外側縁まで変形基点が到達することにより、変形基点が安定し、吸収コアの意図した変形状態を維持しやすい。
【００９５】
変形基点部８０の外側縁８０Ｅは、吸収コアの外側縁に到達していてもよいし、吸収コアの外側縁と離間していてもよい。好適には、変形基点部の外側縁は、吸収コアの外側縁と離間していてよい。脚の力が変形基点部にダイレクトに伝わることを抑制し、吸収コアが変形基点部を基点として変形しすぎることを抑制できる。
【００９６】
変形基点部８０の内側縁８０Ｉは、中央領域３１Ｃに位置してよい。本実施の形態の第１変形基点部８１の内側縁８１Ｉ及び第２変形基点部８２の内側縁８２Ｉは、中央領域３１Ｃに位置している。この構成によれば、脚の動きによって吸収コア３１の外側縁３１Ｅにかかった力を吸収コア３１の幅方向Ｗの中央側まで導くことができる。吸収コア３１の幅方向Ｗの全体に亘って変形をコントロールでき、意図しない変形を抑制できる。
【００９７】
各変形基点部の幅方向Ｗの長さは、吸収コア３１の幅方向Ｗの全域に対する１／４以上であってよい。各変形基点部の幅方向Ｗの長さは、一対の変形基点部を構成する各変形基点部の幅方向Ｗの長さであり、例えば、一対の第１変形基点部８１を構成する各第１変形基点部８１の幅方向Ｗの長さである。よって、一対の変形基点部の幅方向Ｗの長さは、吸収コア３１の幅方向Ｗの全域に対する１／２以上となる。この構成によれば、吸収コア３１の幅方向Ｗの全域の半分以上において変形基点部が配置されるため、吸収コア３１の全体に亘って変形をコントロールでき、意図しない変形を抑制できる。
【００９８】
使い捨ておむつは、第２仮想線ＶＬ２を跨いで前後方向Ｌに延び、かつ吸収コアの厚さ方向の変形を誘導する股下変形誘導部８５を有してよい。着用者が脚を閉じると、股下変形誘導部８５を介して吸収コアが前後方向Ｌに沿う基点に基づいて変形し、着用者の股間に収まるように吸収コアの幅をコンパクトに配置しやすい。股下変形誘導部８５は、吸収材料の坪量が低い低坪量部、吸収コア等を厚さ方向に圧縮したエンボス部、及び吸収コアと厚さ方向に重なって配置された弾性部材のうち、少なくともいずれかによって構成される。図３等に示すように、本実施の形態の股下変形誘導部８５は、吸収コア３１に形成された低坪量部３３と吸収コアよりも非肌面側Ｔ２に配置された股下伸縮部４１によって構成されている。
【００９９】
変形基点部８０は、股下変形誘導部８５の前端縁から前側に延びる誘導延長線ＥＬ３上に配置されてよい。変形基点部８０は、幅方向Ｗに延びており、股下変形誘導部８５から前後方向Ｌに延びる変形を分断できる。股間と対向する領域の吸収コアは、股下変形誘導部に基づいて変形し、股間から離れた腹部と対向する領域の吸収コアは、変形基点部に基づいて変形する。股間と腹部のそれぞれに応じた吸収コアの変形を実現できる。
【０１００】
一対の変形基点部を構成する各変形基点部から変形基点部に沿って延びる変形延長線同士の変形交点Ｐ１は、第３仮想線ＶＬ３よりも前側に位置してよい。各変形基点部から変形基点部に沿って延びる変形延長線は、変形基点部から後側に向かって幅方向Ｗの内側に延びている。変形交点Ｐ１は、一対の変形基点部における変形延長線同士が交わる交点であり、変形基点部よりも後側に位置する。変形交点Ｐ１は、一対の変形基点部が幅中心線１０ＷＣに対して線対称である場合には、幅中心線１０ＷＣ上に位置する。本実施の形態においては、本実施の形態においては、第１変形延長線ＥＬ１同士の変形交点Ｐ１１は、第３仮想線ＶＬ３よりも前側に位置しており、第２変形延長線ＥＬ２同士の変形交点Ｐ１２は、第３仮想線ＶＬ３よりも後側に位置している。
【０１０１】
各変形基点部を基点とした変形は、変形延長線に沿って股下側に延び、変形交点Ｐ１で交わる。変形延長線によって挟まれた領域は、両脚によって挟まれることにより、身体に対して膨らむように変形する。図８に示すように、第１変形基点部８１が下腹部の凹み近傍に位置する場合、変形延長線によって挟まれた領域によって下腹部の凹みよりも下側（股間側）の膨らみを覆うことができる。また、変形交点Ｐ１が第３仮想線ＶＬ３よりも後側に位置しないため、変形基点部８０を基点とした身体に対して膨らむ変形が股間まで到達し難く、股間に対する吸収性を確保しやすい。
【０１０２】
変形交点Ｐ１は、第４仮想線ＶＬ４よりも前側に位置してよい。本実施の形態においては、第１変形基点部８１の変形交点Ｐ１１は、第４仮想線ＶＬ４よりも前側に位置し、第１変形基点部８１の前端縁８１Ｆは、第１仮想線ＶＬ１と離間している。よって、第１変形基点部８１の幅方向Ｗに対する傾きは、緩やかになる。前腹部領域Ｒ２１には、着用者が脚を上げた際に腹側に引き上げられる力がかかりやすい。前腹部領域Ｒ２１において第１変形基点部８１の幅方向Ｗに対する角度が緩やかであるため、脚上げの際に第１変形基点部８１に力がかかりやすく、当該変形基点部を介してより変形しやすくなる。
【０１０３】
変形交点Ｐ１は、第４仮想線よりも後側に位置してよい。本実施の形態においては、第２変形基点部８２の変形交点Ｐ１２は、第４仮想線ＶＬ４よりも後側に位置している。後腹部領域には、着用者が脚を閉じた際に幅方向Ｗの内側に押圧される力がかかりやすい。この幅方向Ｗの内側に向かう力は、後腹部領域のみならず、後腹部領域よりも後側にも作用する。変形延長線によって挟まれた領域が、後腹部領域よりも後側にも設けられ、股間に対向する領域においても吸収コアの変形をコントロールできる。
【０１０４】
各変形基点部から変形基点部に沿って延びる変形延長線と、吸収コアの外側縁と、が交わるコア交点Ｐ２は、第１仮想線ＶＬ１よりも後側に位置してよい。すなわち、コア交点Ｐ２は、第１仮想線ＶＬ１と離間していてよい。本実施の形態においては、第１変形延長線ＥＬ１と吸収コアの外側縁３１Ｅとが交わる第１コア交点Ｐ２１と、第２変形延長線ＥＬ２と吸収コアの外側縁３１Ｅとが交わる第２コア交点Ｐ２２と、は、第１仮想線ＶＬ１よりも後側に位置している。
【０１０５】
変形基点部８０を基点とした変形は、変形延長線に沿って延び、吸収コア３１の外側縁３１Ｅまで伝達しやすい。第１仮想線ＶＬ１よりも後側にコア交点が位置するため、変形基点部８０による吸収コア３１の変形が胴回り保持領域６０まで伝わり難く、胴回りを保持した状態を維持できる。
【０１０６】
変形基点部８０の最大幅ＴＭは、変形基点部８０と近接する領域における吸収コア３１の厚みよりも長い。ここで、変形基点部８０の幅は、変形基点部８０が延びる方向と直交する方向の長さであり、図２において、変形基点部８０の最大幅ＴＭを示す。変形基点部８０の最大幅ＴＭが吸収コア３１の厚みよりも厚いため、吸収コア３１が厚さ方向Ｔの全域にわたって変形基点部８０を基点に変形しやすくなり、意図した変形をより実現しやすくなる。なお、変形基点部８０の幅方向Ｗの長さが変化する構成にあっては、変形基点部８０の幅が吸収コア３１の厚みよりも長い部分が、変形基点部８０の半分以上を占めていることが好ましい。変形基点部８０の半分以上の部分において、吸収コア３１の厚さ方向Ｔの全域が変形し易くなる。
【０１０７】
胴回り保持領域６０の前後方向Ｌの内端縁よりも前後方向Ｌの外側には、幅方向Ｗに伸縮する伸縮性部材が設けられてよい。胴回り保持領域６０の前後方向Ｌの内端縁は、前胴回り域Ｓ１における胴回り保持領域６０の後端縁と、後胴回り域Ｓ２における胴回り保持領域６０の前端縁と、を含む。本実施の形態では、後胴回り域Ｓ２の胴回り保持領域６０の前端縁よりも後側に、伸縮性部材としての腰回り伸縮部４５が配置されている。なお、伸縮性部材としての腰回り伸縮部４５は、胴回り保持領域６０の前後方向Ｌの内端縁よりも前後方向Ｌの外側の領域に少なくとも配置されていればよく、胴回り保持領域６０の前後方向Ｌの内端縁を跨がって、胴回り保持領域６０の前後方向Ｌの内端縁よりも前後方向Ｌの内側にも配置されていてもよい。
【０１０８】
胴回り保持領域６０の身体に対する密着性を腰回り伸縮部４５によって高め、脚の動きによって股下域Ｓ３が前後方向Ｌに移動しても、胴回り保持領域６０の前後方向Ｌの位置ずれを抑制できる。よって、繰り返しの脚の上げ下げ動作が行われた場合であっても、吸収コア全体の位置ずれを抑制し、脚の動きに応じて変形基点部を基点に吸収コアを変形させて、身体を覆い続け易い。
【０１０９】
第１仮想線ＶＬ１よりも前側には、第１仮想線ＶＬ１から後側に延びる領域よりも剛性が高いウエスト剛性領域が設けられてよい。第１仮想線ＶＬ１から後側に延びる領域は、第１仮想線ＶＬ１と隣接し、第１仮想線ＶＬ１から後側に延びる領域である。本実施の形態では、ウエスト剛性領域は、ターゲット部９５が配置された領域であり、ウエスト剛性領域の剛性は、第１仮想線ＶＬ１と第１変形基点部８１の前端縁までの領域の剛性よりも高い。なお、ウエスト剛性領域は、ターゲット部９５等の資材が配置された領域であってもよいし、吸収コア３１のエンボス部が設けられた領域であってもよい。ウエスト剛性領域によって胴回り保持領域の変形を抑制し、胴回り保持領域によって着用者の腰回りを覆い続けることができ、腹部の膨らみを覆い続けることができる。
【０１１０】
本明細書における「曲げ剛性」は、ガーレー剛軟度によって測定された値であってもよい。ガーレー剛軟度の測定は、(株)安田精機製作所製のＮｏ３１１のガーレー式柔軟度試験機を用いて、ＪＩＳ−Ｌ１０９６に準拠して測定することが可能である。ガーレー剛軟度の測定のサンプルの幅方向Ｗの長さは、３０ｍｍ、前後方向Ｌの長さは、２５ｍｍとすることができる。
【０１１１】
次いで、図９に基づいて変形例に係る吸収コアについて説明する。図９は、変形例に係る吸収コアを模式的に示している。なお、以下の変形例の説明において、上述の実施形態と同様の構成については、同符号を用いて説明を省略する。
【０１１２】
図９（ａ）は、変形例１に係る吸収コア３１Ａの平面図である。変形例1に係る吸収コア３１Ａは、一対の変形基点部８０Ａと、一対の変形基点部８０Ａの間に設けられた高剛性部８７と、を有する。高剛性部８７は、周囲の領域よりも曲げ剛性が高い領域である。高剛性部８７は、周囲の領域よりも目付が高い部分であってもよいし、吸収コア３１が厚さ方向に圧縮された部分であってもよい。変形例１に係る変形基点部８０Ａ及び高剛性部８７は、吸収コア３１を圧縮したエンボス部によって構成されている。
【０１１３】
高剛性部８７の剛性は、変形基点部８０Ａよりも幅方向Ｗの外側の領域の剛性よりも高い。変形基点部８０Ａ間に高剛性部８７が設けられていることにより、変形基点部８０Ａよりも幅方向Ｗの外側の領域と変形基点部８０Ａよりも内側の領域との剛性差が生じ、変形基点部８０Ａを基点として吸収コアがより変形し易くなる。また、高剛性部によって変形基点部８０Ａが変形しにくく、変形基点部８０Ａを基点とした変形を維持しやすい。加えて、変形基点部８０Ａ間の領域が幅入りし難くなり、一対の変形基点部８０Ａ間の領域の幅方向Ｗの長さを確保し、漏れを抑制できる。
【０１１４】
高剛性部８７は、変形基点部８０Ａと幅方向Ｗに離間していてもよいし、変形基点部８０Ａと幅方向Ｗにおいて隣接していてもよい。高剛性部と変形基点部８０Ａが隣接する構成にあっては、変形基点部８０Ａよりも幅方向Ｗの外側の領域が、変形基点部８０Ａ間の領域に対してより変形し易くなり、剛性差によって吸収コアがより変形し易くなる。また、高剛性部と変形基点部８０Ａの両方が、同じ構成（エンボス部又は高剛性部）によって形成された形態にあっては、高剛性部と変形基点部８０Ａが一体化していてもよい。高剛性部と変形基点部８０Ａが一体化した構成においては、変形基点部８０Ａは、基点縁８０Ｇから吸収コア３１の厚さ分まで基点縁に沿った線に対する垂直方向の内側に延びる領域を含んでいる。
【０１１５】
図９（ｂ）は、変形例２に係る吸収コア３１Ｂの平面図である。変形例２に係る変形基点部８０Ｂは、幅方向Ｗにおいて連なっている。すなわち、一対の変形基点部８０Ｂを構成する各変形基点部８０Ｂの内側縁同士が連通している。この構成によれば、両脚によって幅方向Ｗの両側から押圧された際に、一対の変形基点部８０Ｂ同士が干渉し、変形基点部８０Ｂを基点とした変形を維持しやすい。また、変形基点部８０Ｂ間の領域が幅入りし難くなり、一対の変形基点部８０Ｂ間の領域の幅方向Ｗの長さを確保し、漏れを抑制できる。
【０１１６】
なお、上述の実施形態のように、第１変形基点部８１と第２変形基点部８２を有する形態にあっては、第１変形基点部８１が幅方向Ｗにおいて連なり、第２変形基点部８２が幅方向Ｗにおいて連なっていないことが好ましい。第２変形基点部８２は、股間側に位置し、脚閉じの際に幅方向Ｗの内側に向かう力が比較的強くかかる。そのため、第２変形基点部８２同士が連なっていると、幅方向Ｗの内側に向かう脚の動きに対して第２変形基点部８２による変形基点が突っ張り、違和感が生じるおそれがある。第２変形基点部８２同士が幅方向Ｗにおいて離間しているため、第２変形基点部８２の間の領域が柔軟に変形することにより、脚閉じの際の脚の動きを阻害せずに、違和感を抑制できる。
【０１１７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１１８】
本発明によれば、身体の臀部及び股間に沿うように吸収コアを変形させ、着用者の身体を適切に覆うことができる使い捨ておむつを提供できる。
【符号の説明】
【０１１９】
１０  ：使い捨ておむつ
３１      ：吸収コア
３１Ｃ    ：中央領域
３１Ｓ    ：側部領域
３３      ：低坪量部（股下変形誘導部）
４１      ：股下伸縮部（股下変形誘導部）
４５      ：腰回り伸縮部（伸縮性部材）
６０      ：胴回り保持領域
６５      ：脚回り開口部
８０      ：変形基点部
８１      ：第１変形基点部
８２      ：第２変形基点部
８５      ：股下変形誘導部
８７      ：高剛性部
９１      ：ファスニングテープ
９２      ：ベース部
９３      ：係止部
９５      ：ターゲット部
Ｌ        ：前後方向
Ｐ１、Ｐ１１、Ｐ１２      ：変形交点
Ｐ２、Ｐ２１、Ｐ２２      ：コア交点
Ｒ１０    ：前側領域
Ｒ２０    ：腹部領域
Ｒ２１    ：前腹部領域
Ｒ２２    ：後腹部領域
Ｓ１      ：前胴回り域
Ｓ２      ：後胴回り域
Ｓ３      ：股下域
Ｔ        ：厚さ方向
Ｔ１      ：肌面側
Ｔ２      ：非肌面側
ＴＭ      ：最大幅
ＶＬ１    ：第１仮想線
ＶＬ２    ：第２仮想線
ＶＬ３    ：第３仮想線
ＶＬ４    ：第４仮想線
Ｗ        ：幅方向
α        ：第１角度
β        ：第２角度
【図１】
2020065817.tif 000003
【図２】
2020065817.tif 000004
【図３】
2020065817.tif 000005
【図４】
2020065817.tif 000006
【図５】
2020065817.tif 000007
【図６】
2020065817.tif 000008
【図７】
2020065817.tif 000009
【図８】
2020065817.tif 000010
【図９】
2020065817.tif 000011